(57)【要約】【課題】販売期間外の商品のラベルを誤って商品に貼付したり、販売期間外の商品を誤って登録したりすることを防止できる商品登録処理装置（ラベルプリンタ）を提供すること。【解決手段】商品を登録販売するラベルプリンタ（計量器）１である。商品に関するラベルを発行する発行手段４１と、ラベルを発行する商品が販売期間内であるか否かを識別する識別手段（ＣＰＵ３１及び識別処理を実行するためのプログラム等）とを備える。識別手段により販売期間外であると識別された商品のラベルＲ２を、販売期間内であると識別された商品のラベルＲ１に対して、識別可能に発行する。即ち例えば、販売期間外の商品のラベルＲ２には、ラベルＲ２の上流側に、販売期間外であることを示す販売期間外表示Ｒ２３を印字する。【選択図】図９
2018001717.tif 000002
【特許請求の範囲】
【請求項１】
商品を登録販売する商品登録処理装置であって、
前記商品に関するラベルを発行する発行手段と、
前記ラベルを発行する商品が販売期間内であるか否かを識別する識別手段とを備え、
前記識別手段により販売期間外であると識別された商品のラベルを識別可能に発行することを特徴とする商品登録処理装置。
【請求項２】
前記販売期間外の商品のラベルの発行を禁止する販売期間外商品発行禁止手段と、
前記販売期間外の商品のラベルの発行を許可する発行許可手段とを、さらに有し、
前記発行許可手段の操作により、前記販売期間外の商品のラベルを発行することを特徴とする請求項１に記載の商品登録処理装置。
【請求項３】
前記販売期間外の商品のラベルには、前記ラベルの上流側又は下流側に、販売期間外であることを示す販売期間外表示を印字することを特徴とする請求項１又は２に記載の商品登録処理装置。
【請求項４】
前記販売期間外の商品のラベルには、前記ラベルに印字する商品名の上に、販売期間外であることを示す販売期間外表示を印字することを特徴とする請求項１又は２に記載の商品登録処理装置。
【請求項５】
前記識別手段により識別された販売期間外の商品を、前記表示手段に一覧表示することを特徴とする請求項１に記載の商品登録処理装置。
【発明の詳細な説明】
【技術分野】
【０００１】
本発明は、商品を登録販売する商品登録処理装置に関するものである。
【背景技術】
【０００２】
従来、例えば百貨店の惣菜売り場に店を構える店舗では、販売しようとする商品の販売前に、百貨店側に対して、販売期間外の商品のラベルを提出して、その商品のラベルの確認作業を行う必要がある。そのため、商品登録処理装置（例えばラベルプリンタや計量器）では、販売期間外の商品のラベルを発行する必要があった。
しかしながら、販売期間外の商品のラベルを発行可能に構成すると、発行した販売期間外のラベルを、販売期間中の商品に誤って貼り付けてしまう等の問題が生じる恐れがあった。また販売期間外の商品のラベルを仮発行した際に、誤ってその商品を登録してしまう恐れもあった。
【先行技術文献】
【特許文献】
【０００３】
【特許文献１】特開２０１１−１１０９０９号公報
【発明の概要】
【発明が解決しようとする課題】
【０００４】
本発明は上述の点に鑑みてなされたものでありその目的は、販売期間外の商品のラベルを誤って商品に貼付したり、販売期間外の商品を誤って登録したりすることのない商品登録処理装置を提供することにある。
【課題を解決するための手段】
【０００５】
本発明は、商品を登録販売する商品登録処理装置であって、前記商品に関するラベルを発行する発行手段と、前記ラベルを発行する商品が販売期間内であるか否かを識別する識別手段とを備え、前記識別手段により販売期間外であると識別された商品のラベルを識別可能に発行することを特徴としている。
これによって、販売期間外の商品のラベルを、誤って商品に貼付することを効果的に防止することができる。
【０００６】
また本発明は、前記販売期間外の商品のラベルの発行を禁止する販売期間外商品発行禁止手段と、前記販売期間外の商品のラベルの発行を許可する発行許可手段とを、さらに有し、前記発行許可手段の操作により、前記販売期間外の商品のラベルを発行することを特徴としている。
これによって、販売期間外の商品のラベルの発行を未然に防止することができる。同時に、販売期間外の商品のラベルを許可によって発行させる構成なので、操作者に販売期間外の商品のラベルであることをより確実に認識させた上で、そのラベルを発行させることができる。
【０００７】
また本発明は、前記販売期間外の商品のラベルには、前記ラベルの上流側又は下流側に、販売期間外であることを示す販売期間外表示を印字することを特徴としている。
これによって、操作者に、販売期間外の商品のラベルであることを容易に認識させることができる。
【０００８】
また本発明は、前記販売期間外の商品のラベルには、前記ラベルに印字する商品名の上に、販売期間外であることを示す販売期間外表示を印字することを特徴としている。
これによって、操作者に、販売期間外の商品のラベルであることを容易に認識させることができる。
【０００９】
また本発明は、前記識別手段により識別された販売期間外の商品を、前記表示手段に一覧表示することを特徴としている。
これによって、販売期間外の全ての商品を、容易に認識することができる。また一覧表示から、所望のラベルを容易に印刷することが可能となる。
【発明の効果】
【００１０】
本発明によれば、販売期間外の商品のラベルを誤って商品に貼付することを防止できる。また販売期間外の商品を誤って登録することを防止することができる。
【図面の簡単な説明】
【００１１】
【図１】商品登録処理装置（以下「ラベルプリンタ」という）１の斜視図である。
【図２】ラベルプリンタ１の機能ブロック図の一例を示す図である。
【図３】商品ファイル５０の一例を示す図である。
【図４】動作フロー図である。
【図５】登録画面Ｇ１の一例を示す図である。
【図６】ラベル画像Ｇ２１を表示した画面Ｇ２を示す図である。
【図７】販売期間外商品一覧表示画面Ｇ５中に表示した印字確認画面Ｇ３を示す図である。
【図８】ラベル画像Ｇ４１を表示した画面Ｇ４を示す図である。
【図９】図９（ａ）はラベルＲ１の一例を示す図、図９（ｂ）はラベルＲ２の一例を示す図である。
【図１０】販売期間外商品一覧表示画面Ｇ５を示す図である。
【発明を実施するための形態】
【００１２】
以下、本発明の実施形態を図面を参照して詳細に説明する。
図１は本発明の一実施形態にかかるラベルプリンタ（計量器でもある）１の斜視図である。このラベルプリンタ１は、商品が計量商品（重さによって価格の異なる商品、不定貫商品）の場合はその商品を計量・値付けした後に、またその商品が非計量商品（１個の値段が決まっている商品、定貫商品）の場合はその商品を指定した後に、その商品の登録を行ってラベルを発行する商品登録処理装置である。
【００１３】
同図に示すように、ラベルプリンタ１は、本体部１１の上面に計量皿（載置部）１３を設置し、また本体部１１の前面側に表示及び操作部１５を設置して構成されている。本体部１１の外周側壁の所定位置（１角部）には、ラベル発行口１７が設けられている。表示及び操作部１５の表面には、表示操作面１９と、テンキー入力部２１とが設けられている。
【００１４】
図２はラベルプリンタ１の機能ブロック図の一例を示す図である。同図に示すように、ラベルプリンタ１は、このラベルプリンタ１の動作を制御するＣＰＵ（制御部）３１と、ＲＡＭ（記憶部）３７が記憶する情報を転送して記憶するハードディスク３３と、ＣＰＵ３１が実行するプログラムを記憶するＲＯＭ３５と、種々の情報を記憶するＲＡＭ３７と、ラベルプリンタ１を動作させる操作部３９と、ラベルを印刷して発行する発行手段４１と、各種情報を表示する表示手段４３と、他の機器と通信を行う通信部４５と、ロードセルを用いて量り売りする商品の計量を行う計量部４７と、を備えて構成されている。各構成要素は互いにバスを介して接続されている。なお前記図１に示す表示及び操作部１５の表示操作面１９は、液晶のタッチパネルで構成されており、表示手段４３であると共に操作部３９である。また前記図１に示すテンキー入力部２１は、操作部３９である。
【００１５】
図３は、前記ＲＡＭ３７に記憶される商品ファイル５０の一例を示す図である。同図に示すように、商品ファイル５０は、各商品の商品コード（商品識別情報）、商品名、単価、販売開始日、販売終了日、原材料、加工日時、消費日時などの各種情報からなっている。ここで「単価」とは、計量商品の場合は、例えば１００ｇ当りの単価を示し、非計量商品の場合は、１単位（１個、１パック等）の値段を示している。販売開始日と販売終了日は、商品毎に予め定められたその店舗における販売開始日と販売終了日をいう。商品ファイル５０には、図示はしていないが、さらに風袋の重量、保存方法、栄養成分、食品添加物、熱量などを記憶しても良い。
【００１６】
図４は、ラベルプリンタ１が実行する処理の一例を示す動作フロー図である。この図に示される処理は、ＣＰＵ３１がＲＯＭ３５に記憶されているプログラムを実行することによって実現される。まず、ラベルプリンタ１の表示操作面１９に、例えば図５に示すような登録画面Ｇ１を表示する（ステップＳＴ１）。図５は表示操作面１９に表示した登録画面Ｇ１の一例を示す図である。同図に示すように登録画面Ｇ１には、選択可能な複数の商品を表示した商品選択ボタンＧ１１、選択商品表示欄Ｇ１２、風袋重量表示欄Ｇ１３、品番表示欄Ｇ１４、商品重量表示欄Ｇ１５、内容量表示欄Ｇ１６、単価表示欄Ｇ１７、値段表示欄Ｇ１８、頁切換ボタンＧ１９、販売前ラベルボタンＧ２０等が表示されている。
【００１７】
次に、登録画面Ｇ１上の何れかの商品選択ボタンＧ１１を指でタッチ（押下）すれば、その商品が選択される（ステップＳＴ２）。このとき、選択した商品が計量商品の場合は、ステップＳＴ３からステップＳＴ４に移行し、例えば登録画面Ｇ１上にポップアップ画面（図示せず）を表示してその商品を計量皿１３に載置するよう促し、載置された商品の計量を行う。同時に、選択商品表示欄Ｇ１２に選択した商品名を表示し、その他の欄Ｇ１３〜Ｇ１８にも計量等による数値を表示する。一方、選択した商品が非計量商品の場合は、ステップＳＴ３からステップＳＴ５に直接移行し、商品の計量は行わず、選択商品表示欄Ｇ１２に選択した商品を表示し、その他の欄Ｇ１３〜Ｇ１８にも必要な数値等を表示する。
【００１８】
次に、ステップＳＴ５において、前記選択した商品が販売期間内の商品であるか否かを識別する。その識別には、商品ファイル５０中の「販売開始日」（場合によってはさらに「販売終了日」）のデータを利用する。ここで、ＣＰＵ３１及び上記識別処理を実行するためのプログラム等は、商品が販売期間内であるか否かを識別する識別手段である。そして、販売期間内の商品の場合（例えば商品「唐揚げ」を選択した場合）は、ステップＳＴ１３に移行して、その商品の登録処理を行い、その登録データをＲＡＭ３７に記憶する。そして、例えば図６に示すような画面Ｇ２を表示操作面１９に表示し（ステップＳＴ７）、印字するラベル画像Ｇ２１を表示する。そして画面Ｇ２中のラベル発行ボタンＧ２２をタッチすると（ステップＳＴ８）、前記ラベル画像Ｇ２１と同様のラベルＲ１が、発行手段４１によって印字され、ラベル発行口１７から発行される（ステップＳＴ９）。図９（ａ）は、発行されたラベルＲ１の一例を示す図である。ラベルＲ１中の所定位置（例えばバーコードの上の部分）に、販売期間を印字しても良い。
【００１９】
一方、その商品が販売期間前の商品であると識別された場合（例えば商品「さばの照り焼き」を選択した場合）は、ステップＳＴ５からステップＳＴ６に移行して、例えば図７に示す販売前ラベルの印字確認画面Ｇ３を表示操作面１９に表示する。なお、図７においては、下記する販売期間外商品一覧表示画面Ｇ５中にポップアップ画面として印字確認画面Ｇ３を表示しているが、登録画面Ｇ１中にポップアップ画面として印字確認画面Ｇ３を表示する。もちろん、ポップアップ画面ではなく、表示操作面１９全体に印字確認画面Ｇ３を表示しても良い。この印字確認画面Ｇ３には、「販売前ラベル印字しますか  品番０１３  さばの照り焼き」のような販売前ラベル発行確認表示Ｇ３１と、はいボタン（印字許可ボタン）Ｇ３３と、いいえボタン（印字不可ボタン）Ｇ３５とを表示する。そして、いいえボタンＧ３５をタッチすると、元の登録画面Ｇ１に戻る（このフローは図示していない）。一方、はいボタンＧ３３をタッチすると、例えば図８に示すような画面Ｇ４を表示操作面１９に表示し（ステップＳＴ７）、印字するラベル画像Ｇ４１を表示する。そして画面Ｇ４中のラベル発行ボタンＧ４２をタッチすると（ステップＳＴ８）、前記ラベル画像Ｇ４１と同様のラベルＲ２が、発行手段４１によって印字され、ラベル発行口１７から発行される（ステップＳＴ９）。
【００２０】
図９（ｂ）は、発行されたラベルＲ２の一例を示す図である。同図に示すように、ラベルＲ２には、このラベルＲ２が、前記識別手段によって販売期間外であると識別された商品のラベルであることを、販売期間内の商品のラベルに対して、明確に、識別可能となるように、ラベルＲ２の上流側で、この例の場合は商品名Ｒ２１の上に、販売期間外であることの明確な販売期間外表示Ｒ２３を印字している。即ち、販売期間外表示Ｒ２３として、大きな文字で、「販売前テスト印字」の表示を、白抜き文字で行っている。さらにこの販売期間外表示Ｒ２３を、赤色などの他の部分とは異なる色彩で表示しても良い。なお、販売期間外表示Ｒ２３は、ラベルＲ２の下流側（例えばラベルＲ２の下端部分）に印字しても良い。ラベルＲ２の上流側又は下流側又は商品名の上のような目立つ位置（取扱者の目に止まり易い位置）に販売期間外表示Ｒ２３を印字すれば、より販売期間外表示Ｒ２３を見落とす恐れがなくなる。ラベルＲ２をこのように構成することで、誤ってこのラベルＲ２を商品に貼り付けてしまうことを確実に防止することができる。つまり例えば、販売しようとする商品の販売前に、その商品に付するラベルがどのようなラベルであるか、また正しい印字がされているか等を確認するため、発行する必要が生じる場合がある。一方、この種のラベルは、まだ商品がないにもかかわらず発行されるため、発行した販売期間外のラベルを、販売期間中の商品に誤って貼り付けてしまう等の問題を生じる恐れがあったが、上記ラベルＲ２には販売期間外表示Ｒ２３を行うので、販売期間中の商品にこれを誤って貼り付けてしまう等の恐れを防止できる。
【００２１】
一方、前記ステップＳＴ１において表示された図５に示す登録画面Ｇ１の商品選択ボタンＧ１１を押下しないで、販売前ラベルボタンＧ２０を押下すると（ステップＳＴ２→ステップＳＴ１０）、図１０に示すような販売期間外商品一覧表示画面Ｇ５が表示操作面１９に表示される（ステップＳＴ１１）。販売期間外商品一覧表示画面Ｇ５は、前記識別手段によって、識別された販売期間外の商品全てを一覧表示した一覧表の画面である。なお販売期間外商品一覧表示画面Ｇ５には、各販売期間外商品について、販売前ラベルを発行済みか否かの表示や、販売開始日の表示等を行っても良い。そして販売期間外商品一覧表示画面Ｇ５中の所望の商品選択ボタンＧ５１（例えば商品「さばの照り焼き」）をタッチすれば（ステップＳＴ１２）、図７に示すように、販売期間外商品一覧表示画面Ｇ５中にポップアップ画面として印字確認画面Ｇ３が表示される（ステップＳＴ６）。もちろん上述のように、ポップアップ画面ではなく、表示操作面１９全体に印字確認画面Ｇ３を表示しても良い。以下の工程（ステップＳＴ７〜ＳＴ９）は、前記の場合と同様である。即ち、この印字確認画面Ｇ３に表示されている、いいえボタンＧ３５をタッチすると、元の販売期間外商品一覧表示画面Ｇ５に戻る（このフローは図示していない）。一方、はいボタンＧ３３をタッチすると、例えば図８に示すような画面Ｇ４を表示操作面１９に表示し（ステップＳＴ７）、印字するラベル画像Ｇ４１を表示する。そして画面Ｇ４中のラベル発行ボタンＧ４２をタッチすると（ステップＳＴ８）、前記ラベル画像Ｇ４１と同様のラベルＲ２（図９（ｂ）参照）が発行手段４１によって印字され、ラベル発行口１７から発行される（ステップＳＴ９）。
【００２２】
以上説明したように、前記識別手段により販売期間外であると識別された商品のラベルを、販売期間内であると識別された商品のラベルに対して識別可能に発行する構成としたので、販売期間外の商品のラベルを、誤って商品に貼付することを効果的に防止することができる。
【００２３】
また上記実施形態では、ステップＳＴ５において、販売期間内の商品のみを登録（ステップＳＴ１３）してそのラベルを発行（ステップＳＴ９）する構成とし、販売期間外の商品についてはステップＳＴ５から登録は行わないで（ステップＳＴ６に移行することで）、且つ一旦そのラベルの発行を禁止し、発行を望む場合のみに（はいボタンＧ３３を押下することで）ステップＳＴ７に移行してラベルの発行を可能としている。これは即ち、販売期間外の商品の登録を禁止する販売期間外商品登録禁止手段（ステップＳＴ５からＳＴ６を実行するＣＰＵ３１及びプログラム等）と、販売期間外の商品のラベルの発行を禁止する販売期間外商品発行禁止手段（ステップＳＴ６でのいいえボタンＧ３５の押下）を実行するＣＰＵ３１及びプログラム等）及び前記販売期間外の商品のラベルの発行を許可する発行許可手段（ステップＳＴ６でのはいボタンＧ３３の押下を実行するＣＰＵ３１及びプログラム等）とを有する構成となっている。これによって、販売期間外の商品を登録することを未然に防止することができる。同時に、販売期間外の商品のラベルを許可という動作を行うことによって発行させる構成なので、操作者に販売期間外の商品のラベルであることをより確実に認識させた上で、そのラベルを発行することができる。
【００２４】
また前述のように、上記実施形態では、前記識別手段により識別された販売期間外の商品を、表示手段４３に一覧表示する手段（ステップＳＴ１１を実行するＣＰＵ３１及びプログラム等）をさらに有する構成となっており、これによって、販売期間外の商品に何があるのかを、全て容易に認識することができる。また表示した一覧表示から、所望のラベルを容易に印刷することが可能となる。
【００２５】
ところで、上記実施形態では、ステップＳＴ１での登録画面Ｇ１に、販売期間外の商品と販売期間内の商品の両者の商品選択ボタンＧ１１を同時に表示しているが、例えば販売期間外の商品の商品選択ボタンＧ１１の色彩等の表示態様と、販売期間内の商品の商品選択ボタンＧ１１の色彩等の表示態様とを異ならせ、これによって両者の違いが一見して分かるように表示してもよい。このとき例えば、販売期間外の商品の商品選択ボタンＧ１１の色彩を例えばグレーに表示してこれにタッチしても押下できない状態とし、さらに例えば販売前ラベルボタンＧ２０を押下すると、前記グレーに表示されている商品選択ボタンＧ１１の押下が可能になり、そこから販売期間外の商品のラベルを発行できるように構成しても良い。このように構成したような場合は、販売前ラベルボタンＧ２０が、販売期間外の商品のラベルの発行を許可する発行許可手段になる。また、商品選択ボタンＧ１１に販売期間外の商品を表示せず（または表示はするが、押下できないようにし）、販売期間外の商品のラベルを印刷したい場合は、必ず販売前ラベルボタンＧ２０を押下することで販売期間外商品一覧表示画面Ｇ５を表示することで行うように構成しても良い。この場合は、図４に示すステップＳＴ５の処理を省略し、ステップＳＴ４からは全てステップＳＴ１３に移行するようにする。また上記実施形態では、ステップＳＴ７において、印字するラベル画像Ｇ２１又はＧ４１を表示する構成としたが、ステップＳＴ７は省略し、印字するラベル画像Ｇ２１又はＧ４１を表示しない構成としても良い。
【００２６】
また図９（ｂ）に示すラベルＲ２においては、ラベルＲ２の上流側（上端近傍）に、販売期間外表示Ｒ２３を表示したので、操作者の目につき易く、これによって操作者に販売期間外の商品のラベルであることを確実に伝えることができるが、ラベルＲ２の下流側（下端近傍）に販売期間外表示Ｒ２３を表示しても、同様に操作者の目につき易く、これによっても操作者に販売期間外の商品のラベルであることを確実に伝えることができる。さらに、このラベルＲ２のように、ラベルＲ２中の商品名Ｒ２１の上（真上）に、販売期間外表示Ｒ２３を表示してもよい。このように表示しても、商品名を確認する操作者に販売期間外表示Ｒ２３が目につき易くなり、これによって操作者に販売期間外の商品のラベルであることを確実に伝えることができる。また上記例では、ラベルＲ２に販売期間外表示Ｒ２３を表示することで、識別手段により販売期間外であると識別された商品のラベルを、販売期間内であると識別された商品ラベルに対して識別可能としたが、例えばラベル全体の色彩を変更したり、別途特別なマークを印刷したりする等、他の種々の方法で両者を識別可能としても良い。
【００２７】
上記実施形態では、図４に示すステップＳＴ５において、即ち商品の計量の後に、その商品が販売期間内か否かを判断したが、その代りに、ステップＳＴ２の商品選択ボタンを押下した際に、その商品が販売期間内か否かを判断してもよい。また販売期間が過ぎてしまった商品選択ボタンについても、それ以外の商品選択ボタンの表示態様と異なる表示態様としてもよい。例えば色彩を変えたり、薄く「期間超過」等の文字を上書きさせておいてもよい。また商品選択ボタンを押下することで、全ての商品について図６又は図８に示す画面Ｇ２，Ｇ４を表示し、その際、画面Ｇ２，Ｇ４中の所望の位置（例えば商品名を表示している欄の右上空白部分）に「販売期間内商品」、「販売期間外商品」のような表示を行ってもよい。
【００２８】
また上記実施形態では、図５の登録画面Ｇ１に示すように、複数の商品欄Ｇ１１を表示し、何れかの商品欄Ｇ１１を押下することで商品を選択するように構成しているが、その代りに、前記商品欄Ｇ１１を表示せず、例えば対面販売を行うために陳列している商品の近くに設置してある価格をデジタル表示する表示器に、例えば指で触れて振動を与えることで、その表示器と無線を通じて通信可能に構成した計量器にその商品が選択されたことを報知し、これによって計量器にその商品が選択されたことを入力すると同時に計量器の表示部に選択された商品のみを表示させるように構成しても良い。このとき例えば、登録画面Ｇ１に表示するのは販売期間内商品のみとし、販売期間外商品の場合は、販売期間外である旨を報知したり、販売期間外商品一覧表示画面を表示したりする。他にも、販売前ラベルボタンＧ２０を押下した後に前記表示器を押すことで、押した数だけ販売期間外商品を表示手段４３に表示するようにしてもよい。
【００２９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記実施形態では、商品登録処理装置として、ラベルプリンタ（計量器）を例として示したが、計量機能を有さないラベルプリンタ、プリンタ機能を有するＰＯＳ装置等、他の各種機能・構造の商品登録処理装置であっても良い。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００３０】
１  ラベルプリンタ（計量器）            １１  本体部
１３  計量皿（載置部）                  １５  表示及び操作部
１７  ラベル発行口                      １９  表示操作面
２１  テンキー入力部                    ３１  ＣＰＵ（制御部）
３３  ハードディスク                    ３５  ＲＯＭ
３７  ＲＡＭ                            ３９  操作部
４１  発行手段                          ４３  表示手段
４５  通信部                            ４７  計量部
５０  商品ファイル                      Ｇ１  登録画面
Ｇ１１  商品選択ボタン                  Ｇ１２  選択商品表示欄
Ｇ１３  風袋重量表示欄                  Ｇ１４  品番表示欄
Ｇ１５  商品重量表示欄                  Ｇ１６  内容量表示欄
Ｇ１７  単価表示欄                      Ｇ１８  値段表示欄
Ｇ１９  頁切換ボタン                    Ｇ２０  販売前ラベルボタン
Ｇ２  画面                              Ｇ２１  ラベル画像
Ｇ２２  ラベル発行ボタン                Ｒ１  ラベル
Ｇ３  印字確認画面                      Ｇ３１  販売前ラベル発行確認表示
Ｇ３３  はいボタン（印字許可ボタン）
Ｇ３５  いいえボタン（印字不可ボタン）
Ｇ４  画面                              Ｇ４１  ラベル画像
Ｇ４２  ラベル発行ボタン                Ｇ５  販売期間外商品一覧表示画面
Ｇ５１  商品選択ボタン                  Ｒ２  ラベル
Ｒ２１  商品名                          Ｒ２３  販売期間外表示
【図１】
2018001717.tif 000003
【図２】
2018001717.tif 000004
【図３】
2018001717.tif 000005
【図４】
2018001717.tif 000006
【図５】
2018001717.tif 000007
【図６】
2018001717.tif 000008
【図７】
2018001717.tif 000009
【図８】
2018001717.tif 000010
【図９】
2018001717.tif 000011
【図１０】
2018001717.tif 000012